(57)【特許請求の範囲】
【請求項１】
絞り枠と菊座との間に複数枚の絞り羽根が重ね合わされて保持され、各絞り羽根は絞り枠に揺動自在に位置決めされると共に菊座にガイド孔を介してガイドされ、菊座を揺動させることにより各絞り羽根を前記ガイド孔に従って揺動させて絞り口径を変化させるカメラの絞り機構に於いて、
前記重なり合う絞り羽根の一方の絞り羽根を、前記絞り枠に形成した凸部上に乗り上げ支持させると共に、他方の絞り羽根を前記凸部の周面を案内面として該凸部と前記一方の絞り羽根との間に進入させて重ね合わせることを特徴とするカメラの絞り機構。
【請求項２】
絞り枠と菊座との間に複数枚の絞り羽根が重ね合わされて保持され、各絞り羽根は絞り枠に揺動自在に位置決めされると共に菊座にガイド孔を介してガイドされ、菊座を揺動させることにより各絞り羽根を前記ガイド孔に従って揺動させて絞り口径を変化させるカメラの絞り機構に於いて、
前記絞り枠の表面に凹部を形成し、前記重なり合う絞り羽根の一方の絞り羽根を前記絞り枠の表面に接触支持させ、他方の絞り羽根の端部を折り曲げて前記凹部内に没入させると共に凹部の内周面を案内面として前記絞り枠の表面と前記一方の絞り羽根との間に進入させて重ね合わせることを特徴とするカメラの絞り機構。
【発明の詳細な説明】
【０００１】
【発明の属する技術分野】
本発明はカメラの絞り機構に係り、特にカメラやビデオカメラ等の光学機械に適用されるカメラの絞り機構に関する。
【０００２】
【従来の技術】
従来、この種のカメラの絞り機構は図９に示すように、複数枚の絞り羽根１（本図では、１枚の絞り羽根のみ示す）が絞り枠２と菊座３との間に重ね合わされて、絞り枠２と菊座３と共に絞り枠体４に固定されている。
前記絞り羽根１の基端部１ａには、回動ピン５が植設されており、この回動ピン５が絞り枠２に形成された軸受孔６に回動自在に取り付けられて、絞り羽根１が絞り枠２に揺動自在に位置決めされる。また、絞り羽根１には、ダボピン７が前記回動ピン５の反対側面に植設されており、このダボピン７が前記菊座３に形成された長孔状のガイド孔８に係合されている。
【０００３】
菊座３を光軸９を中心として時計回り方向、又は反時計回り方向に揺動させると、絞り羽根１のダボピン７が前記ガイド孔８に沿って移動することにより、絞り羽根１が前記回動ピン５を揺動支点として光軸９に近づく方向、又は光軸９から遠ざかる方向に揺動する。これにより、絞り口径が変化する。
【０００４】
【発明が解決しようとする課題】
しかしながら、従来のカメラの絞り機構は、図１０に示すように絞り口径を縮小していく途中で、所定位置に配置された絞り羽根１の先端部１ｂが、他の絞り羽根１の縁部１ｃに当接してしまい動作不良が起こる場合がある。このような不具合は、前記絞り羽根１の先端部１ｂを絞り枠２側に若干量折り曲げて、この先端部１ｂを絞り枠２と前記他の絞り羽根１との間に強制的に進入させることで解消できる。しかし、この場合にも、先端部１ｂが他の絞り羽根１の縁部１ｃに当接することに変わりはないので、絞り羽根１を円滑に動作させることができないという欠点がある。
【０００５】
本発明はこのような事情に鑑みてなされたもので、絞り羽根同士を当接させることなく、絞り羽根を円滑に動作させることができるカメラの絞り機構を提供することを目的とする。
【０００６】
【課題を解決するための手段】
本発明は、前記目的を達成するために、絞り枠と菊座との間に複数枚の絞り羽根が重ね合わされて保持され、各絞り羽根は絞り枠に揺動自在に位置決めされると共に菊座にガイド孔を介してガイドされ、菊座を揺動させることにより各絞り羽根を前記ガイド孔に従って揺動させて絞り口径を変化させるカメラの絞り機構に於いて、前記重なり合う絞り羽根の一方の絞り羽根を、前記絞り枠に形成した凸部上に乗り上げ支持させると共に、他方の絞り羽根を前記凸部の周面を案内面として該凸部と前記一方の絞り羽根との間に進入させて重ね合わせることを特徴とするカメラの絞り機構。
【０００７】
また、本発明は、前記目的を達成するために、絞り枠と菊座との間に複数枚の絞り羽根が重ね合わされて保持され、各絞り羽根は絞り枠に揺動自在に位置決めされると共に菊座にガイド孔を介してガイドされ、菊座を揺動させることにより各絞り羽根を前記ガイド孔に従って揺動させて絞り口径を変化させるカメラの絞り機構に於いて、前記絞り枠の表面に凹部を形成し、前記重なり合う絞り羽根の一方の絞り羽根を前記絞り枠の表面に接触支持させ、他方の絞り羽根の端部を折り曲げて前記凹部内に没入させると共に凹部の内周面を案内面として前記絞り枠の表面と前記一方の絞り羽根との間に進入させて重ね合わせることを特徴としている。
【０００８】
請求項１記載の発明によれば、菊座を揺動させて絞り口径を変化させると、重なり合う絞り羽根の一方の絞り羽根が、絞り枠に形成された凸部上に乗り上げ支持され、そして、他方の絞り羽根が前記凸部の周面に案内されて前記凸部と前記一方の絞り羽根との間に進入する。これにより、本発明は、絞り羽根の端部同士を当接させることなく絞り羽根を重ね合わせることができるので、絞り羽根を円滑に動作させることができる。
【０００９】
請求項２記載の発明によれば、菊座を揺動させて絞り口径を変化させると、重なり合う絞り羽根の一方の絞り羽根が、絞り枠の表面上に沿って移動し、そして、他方の絞り羽根の折り曲げ形成された端部が前記凸部に没入し、そして、この他方の絞り羽根の端部が前記凹部の周面に案内されて前記絞り枠の表面と前記一方の絞り羽根との間に進入する。これにより、本発明は、絞り羽根の端部同士を当接させることなく絞り羽根を重ね合わせることができるので、絞り羽根を円滑に動作させることができる。
【００１０】
【発明の実施の形態】
以下添付図面に従って本発明に係るカメラの絞り機構の好ましい実施の形態について詳述する。
図１は本発明の実施の形態に係るカメラの絞り機構が適用された絞り装置の組み立て斜視図である。同図に示す絞り装置１０は、略三日月状に形成された複数枚の絞り羽根１２（本図では、１枚の絞り羽根のみ示す）を有し、これらの絞り羽根１２、１２…はドーナツ状の絞り枠１４と菊座１６との間に重ね合わされて保持される。また、前記絞り羽根１２は、絞り枠１４と菊座１６と共に筒状に形成された絞り枠体１８に固定される。
【００１１】
前記絞り羽根１２の基端部１１には、回動ピン２０が植設される。この回動ピン２０は、前記絞り枠１４に形成された軸受孔２２に回動自在に取り付けられる。これにより、絞り羽根１２は、絞り枠１４に揺動自在に位置決めされる。尚、本実施の形態の絞り装置１０は、前記軸受孔２２が絞り枠１４に６箇所形成されていることにより、６枚の絞り羽根１２、１２…が用いられる。
【００１２】
絞り羽根１２にはダボピン２４が前記回動ピン２０の反対側面に突設されており、このダボピン２４は前記菊座１６に形成された長孔状のガイド孔２６に係合されている。
従って、菊座１６を光軸２８を中心に時計回り方向（矢印Ａ方向）に揺動させると、絞り羽根１２のダボピン２４が菊座１６のガイド孔２６に沿って摺動し、絞り羽根１２が回動ピン２０を揺動支点として光軸２８に近づく方向に揺動する。これにより、絞り口径が小さくなる。また、絞り口径を大きくする場合には、菊座１６を光軸２８を中心に反時計回り方向（矢印Ｂ方向）に揺動させる。これにより、前記ダボピン２４が前記ガイド孔２６に沿って摺動し、絞り羽根１２が回動ピン２０を揺動支点として光軸２８から遠ざかる方向に揺動するので、絞り口径が大きくなる。
【００１３】
ところで、前記絞り枠１４には図２に示すように、テーパ面３０を有する凸部３２、３２…が一体に形成されている。これらの凸部３２、３２…は、絞り羽根１２に対向する面に形成されると共に、同心円上に等間隔で６箇所形成されている。これらの凸部３２、３２…は、各絞り羽根１２、１２…の揺動時に絞り羽根１２、１２の端部同士が重なる位置に形成されている。
【００１４】
次に、前記の如く構成された絞り装置１０の作用について、図３〜図６を参照しながら説明する。図３、図５は、絞り羽根１２、１２…の動作を分かり易く説明するために菊座１６を透視した絞り装置１０の正面図である。また、図３、図５は、各絞り羽根１２、１２…の揺動中に端部同士が設計的に当接する２枚の絞り羽根１２Ａ、１２Ｂのみを示し、他の４枚の絞り羽根１２、１２…については省略している。図４は図３中４−４線から見た断面図であり、図６は図５中６−６線から見た断面図である。
【００１５】
先ず、図１に示した菊座１６を図１中矢印Ａ方向に揺動させると、各絞り羽根１２、１２…は絞り口径を縮小する方向に夫々揺動する。そして、所定の口径まで絞り口径が縮小すると図３に示すように、前記設計的に当接する２枚の絞り羽根１２Ａ、１２Ｂのうち、図中左側の絞り羽根１２Ｂの端部１３Ｂが、凸部３２のテーパ面３０に案内されて図４に示すように凸部３２上に乗り上げることにより凸部３２上に載置される。この時、絞り羽根１２Ｂの端部１３Ｂは凸部３２を所定量通過した位置に位置され、また、他方の絞り羽根１２Ａの端部１３Ａは、凸部３２のテーパ面３０の手前に位置されている。
【００１６】
この状態で絞り羽根１２Ａ、１２Ｂを同方向に揺動すると、前記絞り羽根１２Ａの端部１３Ａが前記テーパ面３０に案内され、そして、この端部１３Ａが絞り羽根１２Ｂの端部１３Ｂを押し上げる。そして、更に揺動すると絞り羽根１２Ａの端部１３Ａが図５、図６に示すように、前記凸部３２と前記絞り羽根１２Ｂとの間に進入する。
【００１７】
これにより、本実施の形態では、絞り羽根１２Ａ、１２Ｂの端部１３Ａ、１３Ｂ同士を当接させることなく重ね合わせることができる。従って、本実施の形態では、絞り羽根１２、１２…を円滑に動作させることができる。
本実施の形態では、絞り羽根１２の枚数に対応させて前記凸部３２、３２…を６箇所形成したが、この凸部３２は、設計的に端部同士が当接する２枚の絞り羽根の前記当接位置に対応した位置のみに形成すれば良い。尚、本実施の形態の如く前記凸部３２を６箇所形成すれば、端部同士が当接する２枚の絞り羽根１２、１２の取り付け位置を選択することなく各絞り羽根１２、１２…を絞り枠１４に自由に組み付けることができる。即ち、６箇所の凸部３２、３２…のうちいずれか一つの凸部３２で端部同士の当接を防止できるので、組み付けの手間を省くことができる。
【００１８】
図７は、本発明に係るカメラの絞り機構の第２の実施の形態を示す要部断面図であり、図１〜図６で説明した絞り装置１０と同一若しくは類似の部材については同一の符号を付して説明する。
図７に示す形態は、前記絞り枠１４の前記凸部３２（図２参照）に対応した位置に、内周にテーパ面３４を有する凹部３６を形成すると共に、端部同士が設計的に当接する２枚の絞り羽根１２Ａ、１２Ｂのうち、図中右側の絞り羽根１２Ａの端部１３Ａを絞り枠１４側に若干量折り曲げ形成したものである。
【００１９】
第２の実施の形態によれば、所定の口径まで絞り口径が小さくなると図７に示すように、設計的に端部同士が当接する２枚の絞り羽根１２Ａ、１２Ｂのうち、図中左側の絞り羽根１２Ｂが絞り枠１４の表面に沿って移動してその端部１３Ｂが凹部３６の上方に臨んで位置し、そして、絞り羽根１２Ａの端部１３Ａが凹部３６に没入する。この状態で絞り羽根１２Ａ、１２Ｂを更に同方向に揺動すると、前記絞り羽根１２Ａの端部１３Ａが前記テーパ面３０に案内されて凹部３６から退避移動しはじめ、そして、この端部１３Ａが絞り羽根１２Ｂの端部１３Ｂを押し上げる。そして、更に揺動すると絞り羽根１２Ａの端部１３Ａが図８に示すように、絞り枠１４の表面と絞り羽根１２Ｂとの間に進入する。
【００２０】
これにより、第２の実施の形態でも、絞り羽根１２Ａ、１２Ｂの端部１３Ａ、１３Ｂ同士を当接させることなく重ね合わせることができるので、絞り羽根を円滑に動作させることができる。
【００２１】
【発明の効果】
以上説明したように本発明に係るカメラの絞り機構によれば、重なり合う絞り羽根の一方を、絞り枠に形成した凸部に乗り上げ支持させ、他方の絞り羽根を前記凸部の周面で案内して凸部と一方の絞り羽根との間に進入させて重ね合わせるようにしたので、絞り羽根を円滑に動作させることができる。
【図面の簡単な説明】
【図１】本発明のカメラの絞り機構が適用された第１の実施の形態に係る絞り装置の組み立て斜視図
【図２】図１に示した絞り装置の絞り枠の斜視図
【図３】カメラの絞り機構の動作説明図
【図４】図３の３−３線から見た断面図
【図５】カメラの絞り機構の動作説明図
【図６】図５の６−６線から見た断面図
【図７】第２の実施の形態を示すカメラの絞り機構の要部断面図
【図８】図７に示したカメラの絞り機構の動作説明図
【図９】従来の絞り装置の組み立て斜視図
【図１０】絞り羽根の端部同士が当接した状態を示す絞り装置の平面図
【符号の説明】
１０…絞り装置
１２…絞り羽根
１４…絞り枠
１６…菊座
１８…絞り枠体
３０、３４…テーパ面
３２…凸部
３６…凹部
【図１】
0003671491.tif 000002
【図２】
0003671491.tif 000003
【図３】
0003671491.tif 000004
【図４】
0003671491.tif 000005
【図５】
0003671491.tif 000006
【図６】
0003671491.tif 000007
【図７】
0003671491.tif 000008
【図８】
0003671491.tif 000009
【図９】
0003671491.tif 000010
【図１０】
0003671491.tif 000011